(57)【特許請求の範囲】
【請求項１】
給水管に流入する水に適用される整水システムであって、
前記水を電気分解して電解水を生成する電解ユニットと、前記電解水に抗酸化物質の溶液を添加する添加ユニットと、を備え、
前記添加ユニットは、前記溶液が収容された収容部と、前記溶液を前記収容部の流出口から前記給水管に搬送する搬送手段と、を有し、
前記搬送手段は、前記流出口と前記給水管とを連通する流路部と、前記流路部に介装され、前記溶液の吸引及び吐出を行うポンプ装置と、前記ポンプ装置を駆動制御する制御手段と、を含み、
前記流出口は、下方に向かって開口する小孔として構成され、
前記収容部には、その内部と外部とを連通する通気孔が設けられ、
前記流出口と前記ポンプ装置とを連通させる前記流路部の内部は、密閉空間として構成されている、整水システム。
【請求項２】
前記添加ユニットは、前記電解水の流量を検知する流量センサを有し、
前記制御手段は、前記流量センサにより検知された前記流量に基づいて、前記ポンプ装置を駆動制御する、請求項１に記載の整水システム。
【請求項３】
前記ポンプ装置は、ダイヤフラムが設けられたピエゾマイクロポンプであり、
前記制御手段は、前記流量をパルス信号に変換し、前記パルス信号に基づいて、前記ポンプ装置を駆動制御する、請求項２に記載の整水システム。
【請求項４】
前記収容部には、前記通気孔を閉塞するフィルターシールが設けられている、請求項１〜３の何れかに記載の整水システム。
【請求項５】
前記抗酸化物質は、白金ナノコロイドである、請求項１〜４の何れかに記載の整水システム。
【請求項６】
請求項１〜５の何れかに記載の整水システムに用いられる添加ユニット。
【発明の詳細な説明】
【技術分野】
【０００１】
本発明は、水に化学物質を添加する整水器に関するものである。
【背景技術】
【０００２】
従来から、主に健康状態の改善のために、一般家庭等に整水器が導入されてきた。
【０００３】
整水器とは、水をフィルターにより濾過することで不純物を除去した後、この水を電気分解することで、健康状態の改善に寄与する特有の性質を持つ、電解水（アルカリイオン水）を生成することができる機器である。
【０００４】
上記した電解水は、胃もたれや胃の不快感を和らげる他、胃腸の働きを助け、便通を良好にする効果が認められている。
また、電解水は、ミネラル類が原水よりも多く含まれ、抽出力にも優れているため、飲用だけではなく、料理に用いることで、素材の持ち味を引き出すことができる。
【０００５】
このような電解水を生成する整水器に関する発明として、特許文献１には、流量センサ等によりカルシウムの添加量を調整し、カルシウムの節約を図ることを目的とした整水器に関する発明が記載されている。
【０００６】
また、特許文献２には、流量センサ等により、処理されるミネラル調整水のミネラル濃度を一定に保ち、且つカルシウムのほかマグネシウムも付加したミネラル調整水を得るための整水器に関する発明が記載されている。
【０００７】
また、特許文献３には、流量センサ等により、濾材から処理水に溶解する銀イオンの濃度を調整する整水器に関する発明が記載されている。
【先行技術文献】
【特許文献】
【０００８】
【特許文献１】特開平９−３２７６９２号公報
【特許文献２】特開平１１−２７７０７９号公報
【特許文献３】特開２００４−２６７８１９号公報
【発明の概要】
【発明が解決しようとする課題】
【０００９】
しかし、このような整水器により生成される電解水は、上記したように腸内環境の改善効果が認められているものの、そのメカニズムについては未だ不明確な点が多く、その解明に向けて研究が進められている。
【００１０】
ところで、近年の研究で、腸内細菌叢が、腸と脳との間の双方向コミュニケーションに関与していること、また、このことから、腸内環境が、アルツハイマー型認知症の発症の有無に大きく関係していることが分かってきている。
【００１１】
詳述すれば、アルツハイマー型認知症に繋がる脳障害のメカニズムは、ディスバイオシス（腸内フローラの異常）等の、腸−脳枢軸の障害から始まるもので、腸上皮バリアの透過性が高まると、様々な細菌・ウイルスや神経活性物質が脳内に侵入し、脳神経炎症を促進する、という研究結果が明らかにされている。
そして、アルツハイマー型認知症の発症の原因として、この数十年間に亘って支配的だったアミロイドカスケート説に代わって、近年では、上記のような炎症説が有力となっている。
【００１２】
ここで、本発明の発明者は、上記の研究結果から着想を得て、腸上皮バリアの透過性を低下させる、即ち、腸粘膜を保護すれば、上記した脳神経炎症を抑えられ、アルツハイマー型認知症の発症を予防できるのではないか、と考えた。
そして、本発明の発明者は、容易に習慣化して摂取することが可能な、上記した電解水でもって腸粘膜を保護することができれば、誰しもが一切の苦労を要せず、アルツハイマー型認知症の発症を無意識的に予防できるのではないか、と考えた。
【００１３】
本発明は上記のような実状に鑑みてなされたものであり、腸粘膜の改善に寄与する電解水を生成することで、使用者の健康状態を改善することができ、利便性の高い整水システム及びそれに用いられる添加ユニットを提供することを課題とする。
【課題を解決するための手段】
【００１４】
上記課題を解決するために、本発明は、給水管に流入する水に適用される整水システムであって、
前記水を電気分解して電解水を生成する電解ユニットと、前記電解水に抗酸化物質の溶液を添加する添加ユニットと、を備え、
前記添加ユニットは、前記溶液が収容された収容部と、前記溶液を、前記収容部の流出口から前記給水管に搬送する搬送手段と、を有する。
【００１５】
本発明によれば、搬送手段により電解水に抗酸化物質の溶液（以下、単に溶液と称する）が添加されることで、使用者は、溶液が添加された電解水を、蛇口から流出する通常の水道水や天然水と同様の感覚で摂取することができる。
そして、抗酸化物質は、過剰な活性酸素の発生やその働きの抑制、活性酸素の消去といった働きをするため、本発明により生成された電解水は、これを摂取した使用者のディスバイオシスを改善し、腸粘膜を保護することとなる。
これにより、脳神経炎症を抑えられ、アルツハイマー型認知症の発症を無意識的に予防することが可能となる。
【００１６】
本発明の好ましい形態では、前記搬送手段は、前記流出口と前記給水管とを連通する流路部と、前記流路部に介装され、前記溶液の吸引及び吐出を行うポンプ装置と、前記ポンプ装置を駆動制御する制御手段と、を含む。
【００１７】
このような構成とすることで、溶液を、ポンプ装置の駆動制御により、所望の量添加することができ、添加量の過少による腸粘膜保護効果の希薄化、添加量の過剰による身体への悪影響の発生といった事態を抑制することができる。
【００１８】
本発明の好ましい形態では、前記添加ユニットは、前記電解水の流量を検知する流量センサを有し、前記制御手段は、前記流量センサにより検知された前記流量に基づいて、前記ポンプ装置を駆動制御する。
【００１９】
このような構成とすることで、流量に基づいて、自動で溶液の添加量を調整し、例えば、流量に応じた一定量の溶液を電解水に添加することができ、本整水システムの利便性が向上する。
【００２０】
本発明の好ましい形態では、前記ポンプ装置は、ダイヤフラムが設けられたピエゾマイクロポンプであり、前記制御手段は、前記流量をパルス信号に変換し、前記パルス信号に基づいて、前記ポンプ装置を駆動制御する。
【００２１】
このような構成とすることで、添加ユニット自体を小型化、軽量化することができ、添加ユニットの利便性が向上する。
【００２２】
本発明の好ましい形態では、前記流出口は、下方に向かって開口する小孔として構成され、前記収容部には、その内部と外部とを連通する通気孔が設けられ、前記流出口と前記ポンプ装置とを連通させる前記流路部の内部は、密閉空間として構成されている。
【００２３】
このような構成とすることで、収容部の内部が、通気孔により大気圧と略同圧となり、内部の溶液を、重力によって自然に下方の流出口に導き、小孔となされた流出口より、溶液を少量ずつ滴下させることができる。
そして、これに加え、流出口とポンプ装置とを連通させる流路部の内部が、密閉空間として構成されていることで、溶液の自然な滴下を抑制し、ポンプ装置の吸引動作に伴って、溶液を滴下させる態様とすることができる。
これにより、収容部内部の溶液を自然にほぼ使い切ることができると共に、ポンプ装置が小さい吸引力で動作しても、スムーズに電解水への添加を行うことができ、本整水システムの利便性、省電力化の向上に寄与する。
【００２４】
本発明の好ましい形態では、前記収容部には、前記通気孔を閉塞するフィルターシールが設けられている。
【００２５】
このような構成とすることで、上記した本整水システムの利便性、省電力化の向上を実現しつつ、収容部内部へのカビや菌の透過を抑制し、収容部内部の衛生状態を良好に維持することが可能となる。
【００２６】
本発明の好ましい形態では、前記抗酸化物質は、白金ナノコロイドである。
【００２７】
このような構成とすることで、白金ナノコロイドが体内にほとんど吸収されないという特異な性質により、電解水中の抗酸化物質が、小腸で吸収されることなく、確実に大腸まで到達する。
大腸は、小腸と比較して多くの腸内細菌が存在していることから、抗酸化物質を白金ナノコロイドとすることで、本整水システムにより生成された電解水が、腸粘膜の改善により大きく寄与する。
【００２８】
また、本発明は、上記した何れか整水システムに用いられる添加ユニットである。
【発明の効果】
【００２９】
本発明によれば、腸粘膜の改善に寄与する電解水を生成することで、使用者の健康状態を改善することができ、利便性の高い整水システム及びそれに用いられる添加ユニットを提供することができる。
【図面の簡単な説明】
【００３０】
【図１】本発明の実施形態に係る整水システムを示す概略斜視図である。
【図２】本発明の実施形態に係る添加ユニットを示す分解斜視図である。
【図３】本発明の実施形態に係る添加ユニットを示す組立斜視図である。
【図４】本発明の実施形態に係る添加ユニットを示すＰＰ線断面図である。
【図５】本発明の実施形態に係る整水システムを適用した際の水の流れを示す図である。
【図６】本発明の実施形態に係る整水システムにより生成された電解水を用いた実験結果を示す図である。
【発明を実施するための形態】
【００３１】
以下、図面を用いて、本発明の実施形態に係る整水システムについて説明する。
なお、以下に示す実施形態は本発明の一例であり、本発明を以下の実施形態に限定するものではない。また、これらの図において、符号Ｓは、本実施形態に係る整水システムを示す。
【００３２】
図１に示すように、整水システムＳは、給水管に流入する水Ｗ１（図５参照）に適用されるものであって、本実施形態においては、一般住宅や公共施設、オフィスビル等の建築物に通常設置される流し台Ｚに、整水システムＳを設置した例を示す。
なお、流し台Ｚに設置された水栓Ｚ１は、例えば流し台Ｚの下部に設置され、給水管の一部を構成する立上がり管ｋ（図５参照）と連通している。そして、使用者は、水栓Ｚ１に設けられたハンドルＺ１１を操作することにより、水栓Ｚ１端部の蛇口Ｚ１２から水Ｗ１を流出させることができる。
【００３３】
整水システムＳについて詳述すれば、整水システムＳは、水Ｗ１を電気分解して電解水Ｗ２（図４参照）を生成する電解ユニット１と、電解水Ｗ２に溶液Ｘを添加する添加ユニット２と、を備えている。
【００３４】
ここで、本実施形態においては、電解ユニット１が予め設置されている流し台Ｚに対して、添加ユニット２を後述する流出管１４に介装する態様で、整水システムＳを構成する例を示す。
即ち、本実施形態においては、添加ユニット２が、電解ユニット１から独立して、販売等の取引がなされていることを想定した例を示す。
【００３５】
本実施形態における抗酸化物質は、白金ナノコロイドであり、後述する収容部Ａに白金ナノコロイドの溶液Ｘ（図４参照）として収容されている。
この他、抗酸化物質は、ポリフェノールやカロテノイド等が考えられる。
【００３６】
電解ユニット１は、流し台Ｚに載置される電解ユニット本体１１と、水栓Ｚ１の蛇口Ｚ１２に取付けられる分岐栓１２と、電解ユニット本体１１と分岐栓１２とを連通させる接続管１３と、電解水Ｗ２が流出する流出管１４と、を有している。
なお、接続管１３及び流出管１４は、水栓Ｚ１及び分岐栓１２を介して立上がり管ｋと連通することで、給水管の一部を構成している。
【００３７】
電解ユニット本体１１は、その内部に、水Ｗ１を浄水する浄水槽１１ａ（図５参照）と、浄水された水Ｗ１を電気分解する電解槽１１ｂ（図５参照）と、を含む。
【００３８】
浄水槽１１ａは、例えば、カルキ臭やカビ臭等を除去する活性炭フィルターや、赤さびや微細な粒子等を除去する中空糸膜フィルター等により構成されている。
電解槽１１ｂは、陽極や陰極、イオン交換膜等により構成され、陰極側で発生した水素により電解水Ｗ２（アルカリイオン水）を生成する。
【００３９】
分岐栓１２は、切替えレバー１２ａを含み、使用者は、切替えレバー１２ａを操作することで、水Ｗ１を、分岐栓１２の流出口（図示せず）から流出させるか、接続管１３等を介して流出管１４から流出させるか、を任意に切替えることができる。
【００４０】
接続管１３及び流出管１４は、樹脂素材や弾性素材等で形成されることで、柔軟性を有しているチューブ体である。
【００４１】
添加ユニット２は、上記したように流出管１４に介装される態様で、電解ユニット本体１１と連通している。
即ち、本実施形態に係る整水システムＳを構成する場合、添加ユニット２の設置者は、流出管１４を切断し、この切断箇所に、後述する継ぎ手ｊを用いて添加ユニット２を介装する。
なお、以下説明の便宜上、添加ユニット２と電解ユニット本体１１とを連通させる流出管１４を第一流出管１４ａ、添加ユニット２に流入した電解水Ｗ２を、流し台Ｚの槽Ｚ３に排出する流出管１４を第二流出管１４ｂ、と称する。
【００４２】
以下、図２〜図４を用いて、添加ユニット２の構成について詳述する。
【００４３】
図２に示すように、添加ユニット２は、抗酸化物質の溶液Ｘが収容された収容部Ａと、溶液Ｘを、収容部Ａの流出口ｐから、後述する介装管Ｄに搬送する搬送手段Ｂと、電解水Ｗ２の流量を検知する流量センサＣと、流出管１４と連通される介装管Ｄと、を有している。
また、これらの添加ユニット２の各構成要素は、略直方体状の筐体Ｖに格納される。
なお、図２では、これらの添加ユニット２の各構成要素を収容する筐体Ｖを、その正面側の側板を取外した状態で示している。
【００４４】
収容部Ａは、略円筒形状に構成され、下方に向かって開口する収容部本体Ａ１と、収容部本体Ａ１の開口を覆うように着脱可能に取付けられるキャップ部Ａ２と、を含む。
【００４５】
収容部本体Ａ１には、その内部と外部とを連通する通気孔（図示せず）と、この通気孔を閉塞するフィルターシールｆが設けられている。
フィルターシールｆは、一般に流通している略円形状で容易に貼付けられるものが好適に用いられる。
【００４６】
キャップ部Ａ２は、その外形状が、先端に向かうに伴い漸次先細りとなる形状となされた、漏斗状のノズルであり、その先端には、溶液Ｘの流出口ｐが、下方に向かって開口する小孔として構成されている。
【００４７】
収容部Ａは、上記のように構成されることで、その内部が大気圧と略同圧となり、溶液Ｘを、重力により自然に漏斗状のノズルの先端に導き、流出口ｐより滴下可能な構成となされている。
【００４８】
搬送手段Ｂは、流出口ｐと介装管Ｄとを連通する流路部Ｂ１と、流路部Ｂ１に介装され、溶液Ｘの吸引及び吐出を行うポンプ装置Ｂ２と、ポンプ装置Ｂ２を駆動制御する制御手段Ｂ３と、を含む。
【００４９】
流路部Ｂ１には、流出口ｐとポンプ装置Ｂ２とを連通させる第一流路部Ｂ１１と、ポンプ装置Ｂ２と介装管Ｄとを連通させる第二流路部Ｂ１２と、が設けられている。
第一流路部Ｂ１１及び第二流路部Ｂ１２は、樹脂素材や弾性素材等で形成されることで、柔軟性を有しているチューブ体である。
【００５０】
第一流路部Ｂ１１は、ポンプ装置Ｂ２に取付けられ、第二流路部Ｂ１２と略同一径となされた主第一流路部Ｂ１１ａと、主第一流路部Ｂ１１ａと流出口ｐとを連通する補助第一流路部Ｂ１１ｂと、により構成されている。
【００５１】
補助第一流路部Ｂ１１ｂは、主第一流路部Ｂ１１ａ側の端部の内径が、収容部Ａ側の端部の内径よりも小さく構成されることで、段付き形状を呈している。
【００５２】
第二流路部Ｂ１２の一端には、配管チーズｔが設けられている。
また、配管チーズｔの開口が、介装管Ｄの内部空間に突出するように埋め込まれていることで、ポンプ装置Ｂ２と介装管Ｄとが連通している。
なお、介装管Ｄにおける、配管チーズｔの埋め込み箇所は、水漏れが発生しないように、シーリング加工を施しておくことが好ましい（図４（ｂ）参照）。
【００５３】
ポンプ装置Ｂ２は、ダイヤフラムが設けられた、一般に流通しているピエゾマイクロポンプである。
【００５４】
制御手段Ｂ３は、流量センサＣ及びポンプ装置Ｂ２と、これらからそれぞれ延びる配線ｍ１を介して、電気的に接続される。
また、制御手段Ｂ３からは、電源用の配線ｍ２が延びており、これの端部に、外部のコンセントに接続可能なプラグ（図示せず）が形成されている。
なお、制御手段Ｂ３への電源供給手段は、これに限られず、例えば、電池駆動式や充電式としても良い。電池駆動式とする場合、例えば、第三格納部Ｖ２３の上部等の空間に、電池ボックスを設ける構成とすることができる。
【００５５】
流量センサＣは、介装管Ｄの一部を囲って取付けられる、一般に流通している超音波式の流量センサが好適に用いられる。
なお、流量センサＣは、この他にも、電磁式や熱式のものを用いても良い。
【００５６】
介装管Ｄは、樹脂素材や弾性素材等で形成されることで、柔軟性を有しているチューブ体であり、流出管１４と連通することで、給水管の一部を構成している。
また、介装管Ｄの両端部には、それぞれ、第一流出管１４ａ及び第二流出管１４ｂを気密に接続するための継ぎ手ｊが設けられている。
【００５７】
ここで、添加ユニットの構成要素である、収容部Ａ、搬送手段Ｂ、流量センサＣ及び介装管Ｄは、上記したように筐体Ｖに格納される。
【００５８】
詳述すれば、筐体Ｖは、略直方体状の筐体本体Ｖ１と、筐体本体Ｖ１の内部に設けられ、正面側が解放された略直方体状の箱体として構成された格納部Ｖ２と、を有している。
【００５９】
格納部Ｖ２は、収容部Ａが格納される第一格納部Ｖ２１と、流路部Ｂ１やポンプ装置Ｂ２が格納される第二格納部Ｖ２２と、制御手段Ｂ３が格納される第三格納部Ｖ２３とにより構成されている。
【００６０】
各格納部Ｖ２は、それぞれが隣接して配置されている。即ち、第一格納部Ｖ２１の直下に第二格納部Ｖ２２が配置され、第二格納部Ｖ２２の右隣に第三格納部Ｖ２３が配置されている。
また、格納部Ｖ２の下方には、介装管Ｄが格納される空間が形成されている。
【００６１】
第一格納部Ｖ２１の底面には、キャップ部Ａ２が挿通される貫通孔ｈ１が設けられている。
第二格納部Ｖ２２の右側面には、ポンプ装置Ｂ２の配線ｍ１が挿通される貫通孔ｈ２が設けられ、左側面には、第二流路部Ｂ１２が挿通される貫通孔ｈ３が設けられている。
第三格納部Ｖ２３の底面には、流量センサＣの配線ｍ１と、制御手段Ｂ３の電源用の配線ｍ２が挿通される貫通孔ｈ４が設けられている。
なお、第一格納部Ｖ２１は、収容部Ａの交換のため、天面も開放されている。
【００６２】
また、筐体本体Ｖ１の右側面及び左側面には、介装管Ｄの両端部がそれぞれ挿通される貫通孔ｈ５が設けられ、背面には、配線ｍ２を外部へ引出すための貫通孔ｈ６が設けられている。
なお、筐体本体Ｖ１は、収容部Ａの交換や溶液Ｘの補充、制御手段Ｂ３の修理等を容易に行うことができるように、その正面側の側板を、ネジ留め等により容易に着脱可能に構成しておくことが好ましい。
【００６３】
収容部Ａ、搬送手段Ｂ、流量センサＣ及び介装管Ｄを、上記した筐体Ｖに格納することで、図３に示す状態となる。
なお、図２において、破線の矢印は、上記した各構成要素の、筐体Ｖへの格納先を示し、実線の矢印は、上記した各構成要素同士の連結先を示している。
また、図３における筐体Ｖは、図２と同様に、その正面側の側板を取外した状態で示している。
【００６４】
図４（ａ）に示すように、段付き形状を呈するチューブ体である補助第一流路部Ｂ１１ｂは、収容部Ａ側の内径が、キャップ部Ａ２の最大径よりもやや小さく構成され、主第一流路部Ｂ１１ａ側の内径が、主第一流路部Ｂ１１ａの外径よりもやや小さく構成されている。
これにより、キャップ部Ａ２及び主第一流路部Ｂ１１ａは、補助第一流路部Ｂ１１ｂの各端部に嵌合され、この各端部から外気が入り込まないように構成されている。
なお、図４（ａ）では、筐体Ｖと第一流路部Ｂ１１のみを断面図で示している。
【００６５】
また、補助第一流路部Ｂ１１ｂの上端は、貫通孔ｈ１の周辺（第二格納部Ｖ２２の天面）に固着しておくことが好ましい。
これにより、収容部Ａの溶液Ｘを使い切った場合等、収容部Ａの交換を要する場合に、使用者は、筐体Ｖの側板を取外した後、古い収容部Ａを抜き取り、新しい収容部Ａを貫通孔ｈ１に差し込む、という簡便な作業のみで、収容部Ａを交換することができる。
【００６６】
図４（ｂ）に示すように、ポンプ装置Ｂ２の作動により、収容部Ａから吸引された溶液Ｘは、第一流路部Ｂ１１、ポンプ装置Ｂ２、第二流路部Ｂ１２及び配管チーズｔを経由して、介装管Ｄに吐出され、電解水Ｗ２に添加される。
なお、図４（ｂ）は、図４（ａ）における点線四角枠内の、ＰＰ線拡大断面図を示している。
【００６７】
図５に、整水システムＳを適用した流し台Ｚにおける、水Ｗ１の流れを示す。
なお、図５においては、添加ユニット２以外の構成については、文字のみ等で概略的に示している。
また、以下、溶液Ｘが添加された電解水Ｗ２を、添加電解水Ｗ３と称する。
【００６８】
まず、整水システムＳの使用者がハンドルＺ１１の操作することにより、立ち上がり管ｋに流入した水Ｗ１は、水栓Ｚ１を経由し、分岐栓１２に流入する。
【００６９】
このとき、切替えレバー１２ａが、電解水Ｗ２を流出させる位置になされている場合には、水Ｗ１は、接続管１３を経由し、電解ユニット本体１１に流入する。
なお、切替えレバー１２ａが、水Ｗ１を流出させる位置になされている場合には、そのまま分岐栓１２の流出口から水Ｗ１が流出する。
【００７０】
電解ユニット本体１１に流入した水Ｗ１は、浄水槽１１ａ及び電解槽１１ｂを経由することで、電解水Ｗ２となり、第一流出管１４ａを経由して、添加ユニット２（介装管Ｄ）に流入する。
【００７１】
電解水Ｗ２が添加ユニット２に流入すると、流量センサＣが、その流量を検知し、制御手段Ｂ３に、検知した流量に基づく信号を出力する。
【００７２】
制御手段Ｂ３は、流量センサＣから入力された流量に基づく信号を、パルス信号（電圧パルス）に変換処理し、このパルス信号に基づいて、ポンプ装置Ｂ２を駆動制御する。
詳述すれば、ポンプ装置Ｂ２は、介装管Ｄに流入した電解水Ｗ２の流量に基づいて、吸引・吐出動作を行う。
これにより、第一流路部Ｂ１１の内部が陰圧となり、大気圧と略同圧となされた収容部Ａの内部から、流出口ｐを通って溶液Ｘが吸引され、吸引された溶液Ｘが、流路部Ｂ１等を介して電解水Ｗ２に添加されることで、電解水Ｗ２は、添加電解水Ｗ３となる。
【００７３】
最後に、添加電解水Ｗ３は、第二流出管１４ｂを経由して、第二流出管１４ｂの開口端から、流し台Ｚの槽Ｚ３に流出する。
【００７４】
ここで、図６を用いて、上記プロセスにより生成された添加電解水Ｗ３を用いた実験例について説明する。
図６を用いて説明する実験は、マウスを用いた実験であり、（ａ）〜（ｃ）まで、マウスの小腸の断面を顕微鏡で撮影した写真を示している。
【００７５】
図６（ａ）は、健康なマウスの小腸の断面を示している。
【００７６】
図６（ｂ）は、健康なマウスの臓器、組織に対して人為的に虚血再灌流を起こし、活性酸素を発生させた際の小腸の断面を示している。
図６（ｂ）に示すように、活性酸素の発生により、腸粘膜が破壊されていることが分かる。
【００７７】
図６（ｃ）は、健康なマウスの臓器、組織に対して人為的に虚血再灌流を起こす１時間前に、溶液Ｘを経口摂取させ、その後、虚血再灌流を起こし、活性酸素を発生させた際の小腸の断面を示している。
図６（ｃ）に示すように、図６（ｂ）に示す結果と比較して、活性酸素による腸粘膜の破壊が起こらず、保護されていることが分かる。
【００７８】
上記した実験結果から、抗酸化物質、とりわけ白金ナノコロイドを含む溶液Ｘの摂取により、腸粘膜が効果的に保護されることが裏付けられる。
【００７９】
本発明は、上記した実施形態により、以下のような効果を奏する。
【００８０】
即ち、本実施形態によれば、搬送手段Ｂにより電解水Ｗ２に溶液Ｘが添加されることで、使用者は、添加電解水Ｗ３を、通常の水Ｗ１と同様の感覚で摂取することができ、アルツハイマー型認知症の発症を無意識的に予防することが可能となる。
【００８１】
また、搬送手段Ｂが、流路部Ｂ１と、ポンプ装置Ｂ２と、制御手段Ｂ３と、を含むことで、溶液Ｘを、ポンプ装置Ｂ２の駆動制御により、所望の量添加することができ、添加量の過少による腸粘膜保護効果の希薄化、添加量の過剰による身体への悪影響の発生といった事態を抑制することができる。
【００８２】
また、制御手段Ｂ３が、流量センサＣにより検知された流量に基づいて、ポンプ装置Ｂ２を駆動制御することで、流量に基づいて、自動で溶液Ｘの添加量を調整し、例えば、流量に応じた一定量の溶液Ｘを電解水Ｗ２に添加することができ、整水システムＳの利便性が向上する。
【００８３】
また、ポンプ装置Ｂ２が、ダイヤフラムが設けられたピエゾマイクロポンプであり、制御手段Ｂ３が、流量をパルス信号に変換し、パルス信号に基づいて、前記ポンプ装置を駆動制御することで、添加ユニット２自体を小型化、軽量化することができ、添加ユニット２の取扱い易さが向上する。
【００８４】
また、流出口ｐが下方に向かって開口する小孔であり、収容部Ａに、その内部と外部とを連通する通気孔が設けられ、第一流路部Ｂ１１の内部が密閉空間として構成されていることで、収容部Ａ内部の溶液Ｘを自然にほぼ使い切ることができると共に、ポンプ装置Ｂ２が小さい吸引力で動作しても、スムーズに電解水Ｗ２への溶液Ｘの添加を行うことができ、整水システムＳの利便性、省電力化の向上に寄与する。
【００８５】
また、収容部Ａに通気孔を閉塞するフィルターシールｆが設けられていることで、上記した整水システムＳの利便性、省電力化の向上を実現しつつ、収容部Ａ内部へのカビや菌の透過を抑制し、収容部Ａ内部の衛生状態を良好に維持することが可能となる。
【００８６】
また、抗酸化物質が白金ナノコロイドであることで、白金ナノコロイドが体内にほとんど吸収されないという特異な性質により、電解水Ｗ２中の抗酸化物質が、小腸で吸収されることなく、確実に大腸まで到達し、添加電解水Ｗ３が、腸粘膜の改善により大きく寄与する。
【００８７】
なお、上述の実施形態において示した各構成部材の諸形状や寸法等は一例であって、設計要求等に基づき種々変更可能である。
【００８８】
例えば、本実施形態では、上記したように添加ユニット２が、電解ユニット１から独立して、販売等の取引がなされていることを想定した例を示したが、電解ユニット１と添加ユニット２とが、一体となって販売等の取引がなされていても良い。
即ち、この場合、流出管１４を予め筐体Ｖに挿通しておくことで、本実施形態における流出管１４と介装管Ｄとを一体に構成でき、継ぎ手ｊは不要となる。
【００８９】
また、本実施形態では、添加ユニット２を後付けすることで、整水システムＳを構成する例を示したが、電解ユニット１と共に、例えば立ち上がり管ｋに介装される等、建築物に予め組み込まれるビルトイン式で、整水システムＳが構成されていても良い。
【符号の説明】
【００９０】
Ｓ    整水システム
Ｘ    溶液
１    電解ユニット
１１  電解ユニット本体
１２  分岐栓
１３  接続管
１４  流出管
２    添加ユニット
Ａ    収容部
Ａ１  収容部本体
ｆ    フィルターシール
Ａ２  キャップ部
ｐ    流出口
Ｂ    搬送手段
Ｂ１  流路部
Ｂ２  ポンプ装置
Ｂ３  制御手段
Ｃ    流量センサ
Ｄ    介装管
Ｖ    筐体
Ｖ１  筐体本体
Ｖ２  格納部
Ｚ    流し台
Ｚ１  水栓
Ｗ１  水
Ｗ２  電解水
Ｗ３  添加電解水
【要約】
【課題】腸粘膜の改善に寄与する電解水を生成することで、使用者の健康状態を改善することができ、利便性の高い整水システム及びそれに用いられる添加ユニットを提供する。
【解決手段】給水管に流入する水Ｗ１に適用される整水システムＳであって、水Ｗ１を電気分解して電解水Ｗ２を生成する電解ユニット１と、電解水Ｗ２に抗酸化物質の溶液Ｘを添加する添加ユニット２と、を備え、添加ユニット２は、溶液Ｘが収容された収容部Ａと、溶液Ｘを収容部Ａの流出口ｐから給水管に搬送する搬送手段Ｂと、を有する。
【選択図】図５【図１】
0006928408.tif 000002
【図２】
0006928408.tif 000003
【図３】
0006928408.tif 000004
【図４】
0006928408.tif 000005
【図５】
0006928408.tif 000006
【図６】
0006928408.tif 000007